(57)【要約】【課題】カメラの配置順序に従って順次被写体を撮像する。【解決手段】複数のカメラ２ａ〜２ｈによって構成されるカメラシステムであって、前記カメラは、該カメラシステムに含まれる他の前記カメラの配置順序を示す配置番号を他の前記カメラから受信する受信部１８と、前記受信部により受信された他の前記カメラの前記配置番号に連続する該カメラの前記配置番号を生成する番号生成部４と、前記生成部により生成された該カメラの前記配置番号を該カメラに付与する番号付与部４と、前記番号付与部により該カメラに付与された該カメラの前記配置番号を、該カメラシステムに含まれる別の前記カメラに対して送信する送信部１８とを備える。【選択図】図２
2015109620.tif 000002
【特許請求の範囲】
【請求項１】
複数のカメラによって構成されるカメラシステムであって、
前記カメラは、
該カメラシステムに含まれる他の前記カメラの配置順序を示す配置番号を他の前記カメラから受信する受信部と、
前記受信部により受信された他の前記カメラの前記配置番号に連続する該カメラの前記配置番号を生成する番号生成部と、
前記生成部により生成された該カメラの前記配置番号を該カメラに付与する番号付与部と、
前記番号付与部により該カメラに付与された該カメラの前記配置番号を、該カメラシステムに含まれる別の前記カメラに対して送信する送信部と
を備えることを特徴とするカメラシステム。
【請求項２】
前記カメラは、レリーズボタンが操作された場合に前記カメラを操作の基準となる基準カメラと決定する決定部を備え、
前記番号生成部は、前記決定部により前記基準カメラが決定された場合に最初の前記配置番号を生成し、
前記番号付与部は、前記基準カメラに対して最初の前記配置番号を付与することを特徴とする請求項１記載のカメラシステム。
【請求項３】
前記カメラは、
被写体光を撮像する撮像素子と、
前記撮像素子により撮像された画像データを前記配置番号と関連付けて記憶する記憶部と
をそれぞれ備えることを特徴とする請求項１または２記載のカメラシステム。
【請求項４】
前記基準カメラは、該カメラシステムを構成する全ての前記カメラによって撮像された前記画像データを前記受信部を介して受信し、
前記受信部を介して受信した前記画像データに基づく画像を前記配置番号順に前記基準カメラにおいて再生させることを特徴とする請求項３記載のカメラシステム。
【請求項５】
前記送信部、及び前記受信部は、近距離無線通信圏内に位置する前記カメラとの間で、前記配置番号の送受信を行うことを特徴とする請求項１〜４の何れか一項に記載のカメラシステム。
【請求項６】
該カメラシステムを構成する前記カメラは隣接する前記カメラと有線接続され、
前記送信部、及び前記受信部は、有線接続された前記カメラとの間で、前記配置番号の送受信を行うことを特徴とする請求項１〜４の何れか一項に記載のカメラシステム。
【請求項７】
前記カメラは、
現在位置の測位を行うＧＰＳと、
前記ＧＰＳにより取得された前記現在位置を用いて前記配置番号を送信する前記カメラを特定する特定部と
を備えることを特徴とする請求項１〜６の何れか一項に記載のカメラシステム。
【請求項８】
前記基準カメラは、前記レリーズボタンが操作された場合に、撮像指示信号を生成する信号生成部を備え、
前記撮像指示信号が前記配置番号の順に従って前記基準カメラから隣接する別のカメラに順次に送信され、前記配置番号の順に前記撮像指示信号に基づく撮像が実行されることを特徴とする請求項３〜７の何れか一項に記載のカメラシステム。
【請求項９】
前記カメラは、タイマーを備え、
前記基準カメラの前記レリーズボタンが操作された時刻から前記タイマーによって設定された所定の時刻が経過した時に該カメラシステムを構成する全ての前記カメラにより同時に撮像が実行されることを特徴とする請求項３〜７の何れか一項に記載のカメラシステム。
【請求項１０】
リモコンによるレリーズ操作が行われた場合に、該カメラシステムを構成する全ての前記カメラにより同時に撮像が実行されることを特徴とする請求項３〜７の何れか一項に記載のカメラシステム。
【発明の詳細な説明】
【技術分野】
【０００１】
本発明は、カメラシステムに関するものである。
【背景技術】
【０００２】
従来、複数台のカメラを用いて順次被写体を撮像する撮像装置システムが知られている（例えば、特許文献１参照）。
【先行技術文献】
【特許文献】
【０００３】
【特許文献１】特開２００５−１８４２０５号公報
【発明の概要】
【発明が解決しようとする課題】
【０００４】
しかし、上述の撮像装置システムにおいては、カメラのナンバー順に撮像が行われるため、カメラがナンバー順に配置されていない場合、カメラの配置順序を無視して撮像が行われるという問題があった。
【０００５】
本発明の目的は、カメラの配置順序に従って順次被写体を撮像することができるカメラシステムを提供することである。
【課題を解決するための手段】
【０００６】
本発明のカメラシステムは、複数のカメラによって構成されるカメラシステムであって、前記カメラは、該カメラシステムに含まれる他の前記カメラの配置順序を示す配置番号を他の前記カメラから受信する受信部と、前記受信部により受信された他の前記カメラの前記配置番号に連続する該カメラの前記配置番号を生成する番号生成部と、前記生成部により生成された該カメラの前記配置番号を該カメラに付与する番号付与部と、前記番号付与部により該カメラに付与された該カメラの前記配置番号を、該カメラシステムに含まれる別の前記カメラに対して送信する送信部とを備えることを特徴とする。
【発明の効果】
【０００７】
本発明のカメラシステムによれば、カメラの配置順序に従って順次被写体を撮像することができる。
【図面の簡単な説明】
【０００８】
【図１】実施の形態に係るカメラシステムを示す図である。
【図２】実施の形態に係るデジタルカメラの構成を示すブロック図である。
【図３】実施の形態に係るデジタルカメラに記憶されるファイルを示す図である。
【図４】実施の形態に係るカメラシステムにおける一連の処理を示すフローチャートである。
【図５】実施の形態に係るカメラシステムにおける基準カメラ決定処理を示すフローチャートである。
【図６】実施の形態に係るカメラシステムにおける配置番号加算処理を示すフローチャートである。
【図７】実施の形態に係るデジタルカメラに記憶されるファイルを示す図である。
【図８】実施の形態に係るデジタルカメラの関連付け処理を示すフローチャートである。
【図９】実施の形態に係るカメラシステムにおいて関連付けられたデジタルカメラを示す図である。
【図１０】実施の形態に係るデジタルカメラの撮像処理を示すフローチャートである。
【図１１】実施の形態に係るデジタルカメラに記憶されるファイルを示す図である。
【図１２】実施の形態に係るデジタルカメラの撮像処理を示すフローチャートである。
【図１３】実施の形態に係るデジタルカメラに記憶されるファイルを示す図である。
【図１４】実施の形態に係るカメラシステムにおける画像データの収集処理を示すフローチャートである。
【図１５】実施の形態に係る基準カメラにおいて再生される画像を示す図である。
【図１６】実施の形態に係る基準カメラにおいて再生される画像を示す図である。
【図１７】実施の形態に係るデジタルカメラの配置を示す図である。
【図１８】実施の形態に係るデジタルカメラ同士の画角限界を示す図である。
【図１９】実施の形態に係るデジタルカメラから被写体までの距離を示す図である。
【発明を実施するための形態】
【０００９】
以下、図面を参照して本発明の実施の形態に係るカメラシステムについて説明する。図１は、実施の形態に係るカメラシステムを示す図である。図１に示すように、カメラシステム１は、デジタルカメラ２ａ、デジタルカメラ２ｂ、デジタルカメラ２ｃ、デジタルカメラ２ｄ、デジタルカメラ２ｅ、デジタルカメラ２ｆ、デジタルカメラ２ｇ、デジタルカメラ２ｈを有している。
【００１０】
図２は、実施の形態に係るデジタルカメラ２ａ〜２ｈの構成を示すブロック図である。デジタルカメラ２ａ〜２ｈは、ＣＰＵ４を備え、ＣＰＵ４には、操作部６、ＬＣＤ表示部８の表示を制御する表示制御部１０、被写体光を撮像する撮像素子１２、撮像素子１２により撮像された画像データを一時的に記憶する画像記憶部１４、図３に示すファイル１５を記憶する情報記憶部１６、近距離無線通信によりデジタルカメラ間での通信を行う通信部１８、ＧＰＳ衛星から受信した信号に基づいて自己位置を計測するＧＰＳ２０、及び画像データを記憶するメモリカード２２を装着するメモリカードスロット２４が接続されている。
【００１１】
ここで、操作部６は、電源スイッチ２０１（図１参照）、レリーズボタン２０２（図１参照）、再生ボタン（図示せず）等を備えている。また、ファイル１５は、カメラシステム１を構成するデジタルカメラ２ａ〜２ｈの名称を記録する「カメラ名」の欄、及びデジタルカメラ２ａ〜２ｈの配置順序を記録する「配置順序」の欄、及び撮像された画像データの名称を記録する「画像データ名」の欄を有している。
【００１２】
次に、図４に示すフローチャートを参照して、実施の形態に係るカメラシステム１における一連の処理について説明する。まずユーザにより、図１に示すように、被写体３を囲むようにデジタルカメラ２ａ〜２ｈが配置される。ここで、デジタルカメラ２ａ〜２ｈの配置間隔は、それぞれ、隣接するデジタルカメラとの間で近距離無線通信が可能な間隔に設定されている。
【００１３】
デジタルカメラ２ａ〜２ｈが配置されると、隣接するデジタルカメラ同士の間で通信部１８を介して所定の信号の送受信が行われ、近距離無線通信が成立する。即ち、デジタルカメラ２ａとデジタルカメラ２ｂとの間、デジタルカメラ２ｂとデジタルカメラ２ｃとの間、デジタルカメラ２ｃとデジタルカメラ２ｄとの間、デジタルカメラ２ｄとデジタルカメラ２ｅとの間、デジタルカメラ２ｅとデジタルカメラ２ｆとの間、デジタルカメラ２ｆとデジタルカメラ２ｇとの間、デジタルカメラ２ｇとデジタルカメラ２ｈとの間でそれぞれ近距離無線通信が成立する。ここで、デジタルカメラ２ａとデジタルカメラ２ｈとの間では、近距離無線通信が行われないように設定されている。
【００１４】
デジタルカメラ２ａ〜２ｈで近距離無線通信が成立すると、カメラシステム１の処理の基準となる基準カメラを決定する基準カメラ決定処理（ステップＳ１）が開始される。図５は、実施の形態に係るカメラシステム１における基準カメラ決定処理を示すフローチャートである。まず、ユーザによりデジタルカメラ２ａのレリーズボタン２０２が押下されると（ステップＳ１１）、デジタルカメラ２ａのＣＰＵ４は、デジタルカメラ２ａを基準カメラと決定する（ステップＳ１２）。次に、基準カメラの配置番号「１」を生成し（ステップＳ１３）、図３に示すように、ファイル１５の「配置順序」の欄にデジタルカメラ２ａと対応させて記録する（ステップＳ１４）。次に、デジタルカメラ２ａのＣＰＵ４は、デジタルカメラ２ｂに対してファイル１５を送信する（ステップＳ１５）。
【００１５】
基準カメラ決定処理（図４：ステップＳ１）が完了すると、基準カメラ以外のデジタルカメラに配置番号を累積的に加算しながら付与する配置番号加算処理（図４：ステップＳ２）が開始される。図６は、実施の形態に係るカメラシステム１における配置番号加算処理を示すフローチャートである。デジタルカメラ２ｂは、通信部１８を介してファイル１５を受信すると（ステップＳ２１）、受信したファイル１５を一旦情報記憶部１６に記憶する。次に、デジタルカメラ２ｂのＣＰＵ４は、情報記憶部１６に記憶したファイル１５に記録されている最も大きい配置番号を検出する。この時点では、ファイル１５に記録されているのは配置番号「１」のみであるから、デジタルカメラ２ｂのＣＰＵ４は、配置番号「１」を検出する。次に、デジタルカメラ２ｂのＣＰＵ４は、配置番号「１」に１を加算してデジタルカメラ２ｂの配置番号「２」を生成し（ステップＳ２２）、「配置順序」の欄にデジタルカメラ２ｂと対応させて記録する（ステップＳ２３）。
【００１６】
次に、デジタルカメラ２ｂのＣＰＵ４は、ファイル１５に記録されている全てのデジタルカメラの配置番号が記録されたか否かを判定する（ステップＳ２４）。ここで、この時点では、まだデジタルカメラ２ａの配置番号「１」、及びデジタルカメラ２ｂの配置番号「２」しか記録されておらず、全てのデジタルカメラ２ａ〜２ｈの配置番号は記録されていない（ステップＳ２４：Ｎｏ）。この場合、デジタルカメラ２ｂのＣＰＵ４は、隣接するデジタルカメラ２ａ、及びデジタルカメラ２ｃのうち、ファイル１５に配置番号が記録されていないデジタルカメラ２ｃを、ファイル１５の送信対象と決定する（ステップＳ２５）。次に、デジタルカメラ２ｂのＣＰＵ４は、デジタルカメラ２ｃに対して、通信部１８を介してファイル１５を送信する（ステップＳ２６）。
【００１７】
以下、デジタルカメラ２ｃ〜２ｉにおいて、上述したステップＳ２１〜Ｓ２６の処理が繰り返される。
【００１８】
次に、デジタルカメラ２ｈがファイル１５を受信し（ステップＳ２１）、デジタルカメラ２ｈの配置番号「８」を生成し（ステップＳ２２）、ファイル１５に記録すると（ステップＳ２３）、図７に示すように、全てのデジタルカメラの配置番号が記録される（ステップＳ２４：Ｙｅｓ）。この場合、デジタルカメラ２ｈのＣＰＵ４は、デジタルカメラ２ｈと近距離無線通信が可能なデジタルカメラ２ｇに対して、全てのデジタルカメラの配置番号が記録されたファイル１５を送信する（ステップＳ２７）。これにより、配置番号加算処理（図４：ステップＳ２）が完了し、全てのデジタルカメラ２ａ〜２ｈを配置番号によって関連付ける関連付け処理（図４：ステップＳ３）が開始される。
【００１９】
図８は、実施の形態に係るデジタルカメラ２ａ〜２ｈの関連付け処理を示すフローチャートである。デジタルカメラ２ｇは、全てのデジタルカメラの配置番号が記録されたファイル１５を受信すると（ステップＳ３１）、情報記憶部１６に記憶されているファイル１５を上書き更新し（ステップＳ３２）、自己のデジタルカメラが基準カメラであるか否かを判定する（ステップＳ３３）。ここで、デジタルカメラ２ｇは基準カメラではない（ステップＳ３３：Ｎｏ）。この場合、デジタルカメラ２ｇのＣＰＵ４は、配置番号がデジタルカメラ２ｇよりも一つ小さいデジタルカメラ２ｆをファイル１５の送信対象と決定し（ステップＳ３４）、デジタルカメラ２ｆに対して、全てのデジタルカメラの配置番号が記録されたファイル１５を送信する（ステップＳ３５）。
【００２０】
以下、デジタルカメラ２ｇ〜２ｂにおいて、上述したステップＳ３１〜Ｓ３５の処理が繰り返される。
【００２１】
次に、デジタルカメラ２ａにより、全てのデジタルカメラの配置番号が記録されたファイル１５が受信され（ステップＳ３１）、情報記憶部１６に記憶されているファイル１５が上書き更新される（ステップＳ３２）。ここで、デジタルカメラ２ａは基準カメラである（ステップＳ３３：Ｙｅｓ）。この場合、関連付け処理（図４：ステップＳ３）が完了し、図９に示すように、カメラシステム１を構成する全てのデジタルカメラ２ａ〜２ｈが配置番号によって、隣接するデジタルカメラと関連付けられる。
【００２２】
関連付け処理（図４：ステップＳ３）が完了すると、撮像処理（図４：ステップＳ４）が開始される。まず、図１０のフローチャートに示すように、デジタルカメラ２ａのＣＰＵ４は、撮像素子１２により被写体３を撮像し（ステップＳ４１）、被写体３の画像の画像データａ１を画像記憶部１４に記憶する。次に、図１１に示すように、ファイル１５の「画像データ名」の欄に画像データａ１の名称をデジタルカメラ２ａの配置番号「１」と対応させて記録する（ステップＳ４２）。これにより、配置番号「１」と画像データａ１とが関連付けられる。なお、配置番号と画像データとの関連付けは、ファイル１５に画像データの名称を記録することに代えて、配置番号を画像データにタグ情報として付加することによって行ってもよい。次に、デジタルカメラ２ａのＣＰＵ４は、通信部１８を介して、配置番号がデジタルカメラ２ａよりも一つ大きいデジタルカメラ２ｂに対して、撮像指示信号、及び「画像データ名」の欄が記録されたファイル１５を送信する（ステップＳ４３）。
【００２３】
次に、図１２のフローチャートに示すように、デジタルカメラ２ｂが撮像指示信号、及びファイル１５を受信すると（ステップＳ５１）、デジタルカメラ２ｂのＣＰＵ４は、ファイル１５を上書き更新すると共に、撮像素子１２により被写体３を撮像し（ステップＳ５２）、被写体３の画像の画像データｂ１を画像記憶部１４に記憶する。次に、画像データｂ１の名称をファイル１５の「画像データ名」の欄に記録した後（ステップＳ５３）、ファイル１５を参照し、全てのデジタルカメラの配置番号について画像データ名が記録されたか否かを判定する（ステップＳ５４）。ここで、この時点では、全てのデジタルカメラの配置番号について画像データ名が記録されていない（ステップＳ５４：Ｎｏ）。この場合、デジタルカメラ２ｂのＣＰＵ４は、配置番号がデジタルカメラ２ｂよりも一つ大きいデジタルカメラ２ｃに対して撮像指示信号、及び画像データ２の名称が記録されたファイル１５を送信する（ステップＳ５５）。
【００２４】
以下、デジタルカメラ２ｃ〜２ｉにおいて、ステップＳ５１〜Ｓ５５の撮像処理が繰り返される。
【００２５】
次に、デジタルカメラ２ｈがデジタルカメラ２ｇから撮像指示信号、及びファイル１５を受信すると（ステップＳ５１）、デジタルカメラ２ｈのＣＰＵ４は、撮像素子１２により被写体３を撮像し（ステップＳ５２）、被写体３の画像の画像データｈ１を画像記憶部１４に記憶し、図１３に示すように、画像データｈ１の名称をファイル１５の「画像データ名」の欄に記録する（ステップＳ５３）。
【００２６】
次に、デジタルカメラ２ｈのＣＰＵ４は、全てのデジタルカメラの配置番号について画像データ名が記録されたか否かを判定する（ステップＳ５４）。ここで、画像データｈ１がデジタルカメラ２ｈによって撮像された時点では、全てのデジタルカメラの配置番号について画像データ名が記録されている（ステップＳ５４：Ｙｅｓ）。この場合、デジタルカメラ２ｈのＣＰＵ４は、画像記憶部１４から画像データｈ１を読み出し、デジタルカメラ２ｇに対して画像データｈ１、及び全てのデジタルカメラについて画像データ名が記録されたファイル１５を送信する（ステップＳ５６）。
【００２７】
デジタルカメラの撮像処理（図４：ステップＳ４）が完了すると、各々のデジタルカメラ２ａ〜２ｈによって撮像された全ての画像データを収集する画像データ収集処理（図４：ステップＳ５）が開始される。まず、図１４のフローチャートに示すように、デジタルカメラ２ｇが画像データｈ１、及び全てのデジタルカメラについて画像データ名が記録されたファイル１５（図１３参照）を受信すると（ステップＳ６１）、デジタルカメラ２ｇのＣＰＵ４は、画像データｈ１を画像記憶部１４に記憶すると共に（ステップＳ６２）、ファイル１５を上書き更新する。次に、デジタルカメラ２ｇのＣＰＵ４は、ファイル１５を参照し、デジタルカメラ２ａ〜２ｈによって撮像された全ての画像データａ１〜ｈ１が画像記憶部１４に記憶されたか否かを判定する（ステップＳ６３）。
【００２８】
ここで、この時点で画像記憶部１４に記憶されているのは、画像データｈ１、及び画像データｇ１のみであり、全ての画像データａ１〜ｈ１が画像記憶部１４に記憶されていない（ステップＳ６３：Ｎｏ）。この場合、デジタルカメラ２ｇのＣＰＵ４は、画像記憶部１４に記憶されている画像データｇ１、及び画像データｈ１を読み出し、全てのデジタルカメラについて画像データ名が記録されたファイル１５（図１３参照）と共にデジタルカメラ２ｇに送信する（ステップＳ６４）。
【００２９】
以下、デジタルカメラ２ｆ〜２ｂにおいて、ステップＳ６１〜Ｓ６４の画像データ収集処理が繰り返される。
【００３０】
次に、デジタルカメラ２ａが画像データｈ１〜ｂ１、及びファイル１５を受信すると（ステップＳ６１）、デジタルカメラ２ａのＣＰＵ４は、画像データｈ１〜画像データｂ１を画像記憶部１４に記憶すると共に（ステップＳ６２）、ファイル１５を上書き更新し、デジタルカメラ２ａ〜２ｈによって撮像された全ての画像データａ１〜ｈ１が画像記憶部１４に記憶されたか否かを判定する（ステップＳ６３）。
【００３１】
ここで、画像記憶部１４には、デジタルカメラ２ａ〜２ｈによって撮像された全ての画像データａ１〜ｈ１が画像記憶部１４に記憶されている（ステップＳ６３：Ｙｅｓ）。この場合、デジタルカメラ２ａのＣＰＵ４は、画像データ収集処理を終了する。これにより、カメラシステム１を構成する全てのデジタルカメラ２ａ〜２ｈよって異なる角度から撮像された被写体３の画像データａ１〜ｈ１が、基準カメラであるデジタルカメラ２ａの画像記憶部１４に記憶される。
【００３２】
次に、デジタルカメラ２ａにおいて、再生ボタンが操作されると、画像再生処理が開始される（図４：ステップＳ６）。即ち、デジタルカメラ２ａのＣＰＵ４は、ファイル１５を参照し、画像データに基づく画像を配置番号順にＬＣＤ表示部８に表示する。具体的には、図１５に示すように、画像データａ１に基づく画像ａ１、画像データｂ１に基づく画像ｂ１、画像データｃ１に基づく画像ｃ１、画像データｄ１に基づく画像ｄ１、画像データｅ１に基づく画像ｅ１、画像データｆ１に基づく画像ｆ１、画像データｇ１に基づく画像ｇ１、画像データｈ１に基づく画像ｈ１の順に、異なる角度で撮像された被写体３の画像をＬＣＤ表示部８に表示する。
【００３３】
この実施の形態に係るカメラシステム１によれば、隣接するデジタルカメラ同士を関連付けることにより、デジタルカメラの配置順序に従って順次被写体を撮像することができる。
【００３４】
また、複数台のデジタルカメラ２ａ〜２ｈを用いて一つの被写体３を様々な角度から撮像し、撮像した画像を配置番号順に再生させることにより、デジタルカメラ自体を動かしながら被写体３を撮像した動画のような画像を提供することができる。なお、デジタルカメラを並べ替えても、配置順序に従って撮像がなされ、配置番号順に画像を再生することができるため、デジタルカメラを途中で前後させて撮像したような不自然な再生が行われることがない。
【００３５】
なお、上述の実施の形態においては、撮像処理（図４：ステップＳ４）、及び画像データ収集処理（図４：ステップＳ５）が１クールで終了する場合を例に説明しているが、撮像処理、及び画像データ収集処理を複数クール繰り返してもよい。この場合、２クール目の撮像処理において、まず、２クール目の画像データａ２がデジタルカメラ２ａによって撮像され、ファイル１５に画像データａ２の名称がデジタルカメラ２ａと対応させて記録される。以下同様にして、デジタルカメラ２ｂ〜２ｈによって撮像画像データｂ２〜ｈ２が撮像され、画像データｂ２〜ｈ２の名称がそれぞれデジタルカメラ２ｂ〜２ｈと対応させてファイル１５に記録される。次に、２クール目の画像データ収集処理において、全てのデジタルカメラについて２クール目の画像データ名が記録されたファイル１５と共に、画像データａ２〜ｈ２がデジタルカメラ２ａに収集される。３クール目以降においても２クール目と同様の処理が繰り返される。
【００３６】
この場合、デジタルカメラ２ａにおいて再生ボタンが操作されると、デジタルカメラ２ａのＣＰＵ４は、ファイル１５を参照し、図１６に示すように、１クール目の画像データａ１〜ｈ１に基づく画像ａ１〜ｈ１、２クール目の画像データａ２〜ｈ２に基づく画像ａ２〜ｈ２、…、ｎクール目の画像データａｎ〜ｈｎに基づくａｎ〜ｈｎをそれぞれ配置番号順にＬＣＤ表示部８に表示する。
【００３７】
また、デジタルカメラ２ａ〜２ｈによって撮像される画像は、動画像であってもよい。この場合、再生処理において、複数クールの動画像が配置番号順にＬＣＤ表示部８に表示される。
【００３８】
また、上述の実施の形態において、隣接するデジタルカメラ同士をケーブルにより有線接続し、近距離無線通信に代えて、ケーブルを介した有線通信によりファイル１５等の送受信を行うようにしてもよい。
【００３９】
また、上述の実施の形態において、デジタルカメラ同士の間隔が離れている場合、デジタルカメラ２ａ〜２ｈにＧＰＳ２０により自己位置の位置情報（緯度、経度）を取得させ、位置情報を用いて配置順序を決定してもよい。例えば、Ｗｉ−Ｆｉにより近距離無線通信を行う場合、まず、ユーザにより、各々のデジタルカメラ２ａ〜２ｈが近距離無線通信の可能なＷｉ−Ｆｉスポット等に配置される。次に、デジタルカメラ２ａ〜２ｈは、ＧＰＳ２０により自己位置の位置情報を取得する。ここで、各デジタルカメラ２ａ〜２ｈの位置情報は、Ｗｉ−Ｆｉスポット等を介して形成された通信網により、デジタルカメラ２ａ〜２ｈ間で相互に認識される。
【００４０】
次に、ユーザによりデジタルカメラ２ａのレリーズボタン２０２が押下されると、デジタルカメラ２ａのＣＰＵ４は、デジタルカメラ２ａを基準カメラと決定し、配置番号「１」をファイル１５に記録する。
【００４１】
次に、デジタルカメラ２ａは、デジタルカメラ２ａ〜２ｈの位置情報に基づいて、デジタルカメラ２ａの最も近くに位置する、例えば、デジタルカメラ２ｂをファイル１５の送信対象と決定する。次に、デジタルカメラ２ａは、デジタルカメラ２ｂに対して、通信網を介してファイル１５を送信する。
【００４２】
ファイル１５を受信したデジタルカメラ２ｂは、配置番号「２」をファイル１５に記録した後、位置情報に基づいて、デジタルカメラ２ｂの最も近くに位置するデジタルカメラ２ａ、及びデジタルカメラ２ｃを検出する。次に、ファイル１５に配置番号が記録されていないデジタルカメラ２ｃを、ファイル１５の送信対象と決定し、デジタルカメラ２ｃに対してファイル１５を送信する。以下、ファイル１５の送信対象を決定際に位置情報を用いる点の他は、上述の実施の形態で説明した処理と同様の処理が行われる。これにより、デジタルカメラ同士の間隔が離れている場合においても、カメラの配置順序に従ってデジタルカメラ同士を関連付けることができる。
【００４３】
なお、この場合、近距離無線通信に代えて、デジタルカメラ同士を有線接続してもよい。デジタルカメラ同士を有線接続した場合、有線通信網を介して、最も近くに位置するデジタルカメラに順次ファイル１５が送信され、配置番号が累積加算される。
【００４４】
また、上述の実施の形態において、デジタルカメラ２ａ〜２ｈにタイマー（図示せず）を備え、タイマーにより撮像タイミングを決定してもよい。例えば、ユーザは、デジタルカメラ２ａ〜２ｈにおいて、撮像指示から撮像までの所定の時間を予めタイマーで設定しておく。次に、ユーザがデジタルカメラ２ａのレリーズボタン２０２を押下すると、デジタルカメラ２ａのＣＰＵ４は、ＧＰＳ２０によりレリーズ時の時刻情報を取得する。
【００４５】
そして、デジタルカメラ２ａは、配置番号「１」が記録されたファイル１５をレリーズ時の時刻情報と共にデジタルカメラ２ｂに送信する。デジタルカメラ２ｂは、ファイル１５、及びレリーズ時の時刻情報を受信すると、ファイル１５に配置番号「２」を記録した後、ファイル１５をレリーズ時の時刻情報と共にデジタルカメラ２ｂに送信する。以下、デジタルカメラ２ｃ〜２ｈにおいて、同様の処理が繰り返される。そして、全てのデジタルカメラ２ａ〜２ｈが配置番号によって関連付けられた後、デジタルカメラ２ａ〜２ｈは、レリーズ時から所定の時間後に撮像を行う。この場合、デジタルカメラ２ａ〜２ｈ間で撮像指示信号を順次送信する必要がないため、全てのデジタルカメラ２ａ〜２ｈにより同時に撮像を行うことができる。
【００４６】
また、全てのデジタルカメラ２ａ〜２ｈがリモコンにより通信を行うことができる範囲に位置する場合には、リモコンを用いてデジタルカメラ２ａ〜２ｈに対する撮像指示を行ってもよい。例えば、デジタルカメラ２ａが基準カメラと決定され、全てのデジタルカメラ２ａ〜２ｈが配置番号によって関連付けられた後、操作者がリモコンを操作すると、デジタルカメラ２ａ〜２ｈにより一斉に撮像が行われる。この場合もまた、デジタルカメラ２ａ〜２ｈ間で撮像指示信号を順次送信する必要がないため、デジタルカメラ２ａ〜２ｈ間での撮像タイミングがずれることなく、同時に被写体３を撮像することができる。
【００４７】
なお、タイマー、またはリモコンの操作により全てのデジタルカメラ２ａ〜２ｈで同時に撮像が行われた場合、撮像された画像の画像データａ１〜ｈ１は、配置番号と関連付けられてデジタルカメラ２ａに収集される。このため、デジタルカメラ２ａにおいて、画像データに基づく画像ａ１〜ｈ１を配置番号順に再生することができる。
【００４８】
また、上述の実施の形態においては、図１に示すように、撮影レンズを円環状に配置されたデジタルカメラ２ａ〜２ｈの内側（被写体３側）に向けて撮像を行う場合を例に説明しているが、撮影レンズを円環状に配置されたデジタルカメラ２ａ〜２ｈの外側に向けて撮像を行ってもよい。この場合、撮像された画像データをつなぎ合わせることにより、デジタルカメラ２ａ〜２ｈの中心を基準とする全方位のパノラマ画像を作成することができる。なお、デジタルカメラの配置態様は円環形状に限定されない。例えば、図１７に示すように、デジタルカメラを一列に配置して撮像を行ってもよい。
【００４９】
また、上述の実施の形態において、デジタルカメラ２ａ〜２ｈに、撮像時の方位を計測する電子コンパス（図示せず）、及び被写体までの距離を測距する測距センサ（図示せず）を更に備えてもよい。この場合、デジタルカメラ２ａのＣＰＵ４は、被写体３の撮像時において、ＧＰＳ２０により自己位置の位置情報ａを取得し、電子コンパスにより方位情報ａを取得すると共に、測距センサによりデジタルカメラ２ａから被写体３までの距離情報ａを取得する。また、撮像時の画角情報ａを取得する。次に、位置情報ａ、方位情報ａ、距離情報ａ、画角情報ａを撮像指示信号と共にデジタルカメラ２ｂに対して送信する。デジタルカメラ２ｂは、デジタルカメラ２ａから位置情報ａ、方位情報ａ、距離情報ａ、画角情報ａ、及び撮像指示信号を受信すると、デジタルカメラ２ａと同様に、位置情報ｂ、方位情報ｂ、デジタルカメラ２ｂから被写体３までの距離情報ｂを取得する。次に、デジタルカメラ２ｂのＣＰＵ４は、位置情報ａ、方位情報ａ、距離情報ａ、画角情報ａ、位置情報ｂ、方位情報ｂ、距離情報ｂを用いて、図１８に示すように、デジタルカメラ２ａとデジタルカメラ２ｂとの間の画角限界を認識し、画角を調整した上で撮像を行う。以下、デジタルカメラ２ｃ〜２ｈにおいて、同様の処理が繰り返される。このように、画角限界を認識し、画角を調整しながら撮像を行うことにより、例えば、パノラマ画像を作成する場合などにおいて、重複や離間のないように画像同士を繋げることができる。
【００５０】
また、デジタルカメラ２ａのＣＰＵ４は、位置情報ａ、及び距離情報ａを撮像指示信号と共にデジタルカメラ２ｂに対して送信するようにしてもよい。この場合、デジタルカメラ２ｂは、位置情報ａ、距離情報ａ、及び撮像指示信号を受信すると、まず、ＧＰＳ２０によりデジタルカメラ２ｂの位置情報ｂを取得する。次に、図１９に示すように、位置情報ａ、距離情報ａ、位置情報ｂに基づいて、デジタルカメラ２ｂからデジタルカメラ２ｂまでの距離ｂを算出し、距離情報ｂを取得する。次に、デジタルカメラ２ｂのＣＰＵ４は、距離情報ｂに基づいて焦点調整動作（ＡＦ）を行い、被写体３を撮像する。以下、デジタルカメラ２ｃ〜２ｈにおいて、同様の処理が繰り返される。この場合、測距センサによる測距ミスが発生することがなく、撮像時にＡＦを行う際に、正確に被写体３までの距離を算出することができる。
【００５１】
また、上述の実施の形態の撮像処理において、撮像指示信号と共に撮像された画像データを累積させながら隣接するデジタルカメラに送信してもよい。そして、全ての画像データａ１〜ｈ１がデジタルカメラ２ｈに集積されると、デジタルカメラ２ｈのＣＰＵ４は、画像データａ１〜ｈ１をデジタルカメラ２ｇに対して送信し、デジタルカメラ２ｇに画像データａ１〜ｈ１が記憶される。以下、デジタルカメラ２ａが画像データａ１〜ｈ１を受信し、記憶するまで同様の処理が繰り返される。これにより、カメラシステム１を構成する全てのデジタルカメラ２ａ〜２ｈに画像データａ１〜ｈ１が記憶され、基準カメラ以外のデジタルカメラ２ｂ〜２ｈでも、図１５に示すような画像を再生することができる。
【００５２】
また、上述の実施の形態において、予めデジタルカメラ２ａ〜２ｈを有線接続しておいしてもよい。そして、デジタルカメラ２ａ〜２ｈの何れかが隣接するデジタルカメラとの間で近距離無線通信を確立できなかった場合には、近距離無線通信を中止して有線通信に切替えるようにしてもよい。
【００５３】
また、上述の実施の形態において、レリーズボタン２０２が押下されたデジタルカメラを基準カメラとしているが、どのデジタルカメラを基準カメラとするかについては、ユーザが予め設定するようにしてもよい。
【００５４】
また、上述の実施の形態において、デジタルカメラの個数は、デジタルカメラ２ａ〜２ｈの８個に限定されず、増減させてもよい。
【００５５】
また、上述の実施の形態においては、ファイル１５の「カメラ番号」の欄に記録される情報は、デジタルカメラ２ａ〜２ｈを識別できる情報であればカメラ名に制限されない。例えば、「カメラ番号」の欄にデジタルカメラ２ａ〜２ｈのシリアルナンバーやメールアドレス等を記録してもよい。
【００５６】
また、上述の実施の形態において、ファイル１５に予めカメラ名が記録されている場合を例に説明しているが、カメラ名は、通信が行われる度に配置番号と共に適宜記録されるようにしてもよい。
【符号の説明】
【００５７】
１…カメラシステム、２ａ〜２ｈ…デジタルカメラ、３…被写体、４…ＣＰＵ、６…操作部、８…ＬＣＤ表示部、１０…表示制御部、１２…撮像素子、１４…画像記憶部、１６…情報記憶部、１８…通信部、２０…ＧＰＳ、２２…メモリカード、２４…メモリカードスロット
【図１】
2015109620.tif 000003
【図２】
2015109620.tif 000004
【図３】
2015109620.tif 000005
【図４】
2015109620.tif 000006
【図５】
2015109620.tif 000007
【図６】
2015109620.tif 000008
【図７】
2015109620.tif 000009
【図８】
2015109620.tif 000010
【図９】
2015109620.tif 000011
【図１０】
2015109620.tif 000012
【図１１】
2015109620.tif 000013
【図１２】
2015109620.tif 000014
【図１３】
2015109620.tif 000015
【図１４】
2015109620.tif 000016
【図１５】
2015109620.tif 000017
【図１６】
2015109620.tif 000018
【図１７】
2015109620.tif 000019
【図１８】
2015109620.tif 000020
【図１９】
2015109620.tif 000021